(57)【要約】【課題】従来は、電子機器を支持するスタンドを締付ねじでクランプバーにねじ止めする構成となっていたため、取り付け・取り外し時に手間がかかり、着脱操作を簡単且つ迅速に行うことができなかった。【解決手段】モニタ装置２と、そのモニタ装置２に対称に配置されて取り付けられる一対の取付ブラケット３，４と、を備えて構成される。一対の取付ブラケット３，４には、一対の取付ブラケットを介してモニタ装置２を吊り下げ支持する上側バー５が挿脱可能に係合される係合溝１０を設ける。更に、一対の取付ブラケットには、一対の取付ブラケットを介してモニタ装置２を下方から支える下側バー６が当接されるベース部９を設ける。上側バー５は、第１の方向の寸法Ｙよりも第２の方向Ｘの寸法を大きくした断面形状を有し、係合溝の底に、上側バー５を９０度回転させることができる回転領域１０ｃを設ける。【選択図】図１
2011149453.tif 000002
【特許請求の範囲】
【請求項１】
電子機器本体と、
前記電子機器本体に対称に配置されて取り付けられる一対の取付ブラケットと、を備え、
前記一対の取付ブラケットには、当該一対の取付ブラケットを介して前記電子機器本体を吊り下げ支持する第１の支持部が挿脱可能に係合されるクランク状に延在された係合溝と、当該一対の取付ブラケットを介して前記電子機器本体を下方から支える第２の支持部が当接されるベース部と、を設け、
前記第１の支持部は、第１の方向の寸法よりもこれに直交する第２の方向の寸法を大きくした断面形状を有し、
前記係合溝の底に、前記第１の支持部を９０度回転させることができる回転領域を設けた
電子機器取付装置。
【請求項２】
前記係合溝は、前記電子機器本体が固定される側と反対側に開口する出入口と、前記出入口の奥に連続されると共に当該出入口と前記電子機器本体が固定される側とを結ぶ出入口方向と交差する交差方向に延在され且つ前記第１の支持部の前記第２の方向への移動は許容するが前記第１の方向への移動を阻止する幅狭部と、前記幅狭部の先端に連続される前記回転領域と、を有する
請求項１記載の電子機器取付装置。
【請求項３】
前記一対の取付ブラケットの前記ベース部に、前記第２の支持部に係合されるズレ防止凹部を設けた
請求項１記載の電子機器取付装置。
【請求項４】
前記一対の取付ブラケットの前記ベース部側に、他の電子機器取付装置の取付ブラケットとの干渉を避けるための段部を設けた
請求項１記載の電子機器取付装置。
【請求項５】
電子機器本体に対称に配置されて取り付けられる構造が同一であって、形状が対称をなす一対の取付ブラケットからなり、
前記一対の取付ブラケットには、当該一対の取付ブラケットを介して前記電子機器本体を吊り下げ支持する第１の支持部が挿脱可能に係合されるクランク状に延在された係合溝と、当該一対の取付ブラケットを介して前記電子機器本体を下方から支える第２の支持部が当接されるベース部と、を設け、
前記第１の支持部は、第１の方向の寸法よりもこれに直交する第２の方向の寸法を大きくした断面形状を有し、
前記係合溝の底に、前記第１の支持部を９０度回転させることができる回転領域を設けた
電子機器用取付ブラケット。
【発明の詳細な説明】
【技術分野】
【０００１】
本発明は、ディスプレイ装置やスピーカ装置その他の電子機器を所定位置に簡単且つ確実に取り付け・取り外しすることができる電子機器取付装置、及び、そのための取付ブラケットに関する。特に、複数個の同一の電子機器を平面的に並べて設置することができる電子機器取付装置及びそのために用いて好適な電子機器用取付ブラケットに関する。
【背景技術】
【０００２】
電子機器の一具体例を示すディスプレイ装置を所定位置に設置する装置として、例えば、図７や図８に示すようなものが知られている。図７は、球面軸受１１１を有する球面軸受式スタンド１１０によってディスプレイ装置１００をクランプバー１０２に支持した例を示すものである（以下「第１の従来例」という。）。球面軸受式スタンド１１０は、コの字型に形成されたスタンド本体１１２と、このスタンド本体１１２の一方の片の外面に固定された球面軸受１１１と、一方の片と対向する他方の片を貫通するように取り付けられた締付ねじ１１３を備えている。球面軸受１１１は、一端に球形部を有し、且つ、他端にフランジ部を有する支持軸１１４を備えている。この支持軸１１４が球形部によって姿勢変更可能に支持されており、その反対側のフランジ部にディスプレイ装置１００が搭載されてねじ止めされている。
【０００３】
図７において、符号１０５は、作業机や作業テーブル等の卓である。この卓１０５の後部上方に、クランプバー１０２が卓上面と所定の隙間をあけて平行に延在されて配置されている。球面軸受式スタンド１１０は、スタンド本体１１２の凹部内にクランプバー１０２を挿入した状態で、締付ねじ１１３を締め付けることによってクランプバー１０２に固定されている。そのため、クランプバー１０２の下面と卓１０５の上面との間には、締付ねじ１１３及びこれを回転させるために作業者の指が入る程度の隙間Ｄが必要とされている。そして、スタンド本体１１２に設けた球面軸受１１１上にディスプレイ装置１００が搭載されていて、これにより、球面軸受式スタンド１１０でディスプレイ装置１００を下方から支持する構成となっている。
【０００４】
図８は、高さ調整機構を有する高さ調整式スタンド１２０によってディスプレイ装置１００をクランプバー１０２に支持した例を示すものである（以下「第２の従来例」という。）。高さ調整式スタンド１２０は、コの字型に形成されたスタンド本体１２２と、このスタンド本体１２２の一方の片の外面に設けられた高さ調整部１２１と、一方の片と対向する他方の片を貫通するように取り付けられた締付ねじ１２３を備えている。高さ調整部１２１は、スタンド本体１１２の一片の上面に立設されたベース片１２４と、このベース片１２４に位置調整可能に固定された連結部材１２５と、この連結部材１２５の先端部に取り付けられたべサマウント１２６と、ロックねじ１２７を備えている。
【０００５】
連結部材１２５はコの字型に形成されており、一方の片に長穴１２８が設けられ、この一方の片と対向する他方の片の先端面にベサマウント１２６が一体的に固定されている。ロックねじ１２７は、ベース片１２４に設けたねじ孔に螺合されており、そのねじ軸部が連結部材１２５の一片に設けた長穴１２８を貫通している。長穴１２８はベース片１２４が延びる上下方向へ延在されており、この長穴１２８を貫通するロックねじ１２７にガイドさせて連結部材１２５を上下方向へ移動することにより、ディスプレイ装置１００の設置高さを調整することができる。
【０００６】
この高さ調整式スタンド１２０は、球面軸受式スタンド１１０と同様に、スタンド本体１２２の凹部内にクランプバー１０２を挿入した状態で、締付ねじ１２３を締め付けることによってクランプバー１０２に固定される。そのため、卓１０５の上面とクランプバー１０２の下面との間に隙間Ｄができる。その一方、高さ調整式スタンド１２０では、ベサマウント１２６でディスプレイ装置１００の背面を支持するために、ディスプレイ装置１００の表示面が距離Ｆだけ前方に大きく突出されることになる。
【０００７】
また、従来の電子機器取付装置の第３の例として、例えば、特許文献１に記載されているようなものもある。特許文献１には、コンクリート造りの壁面に埋め込んで取り付けられ、各種機器を収納するキャビネットの取り付け構造に関するものが記載されている（以下「第３の従来例」という。）。この特許文献１に記載されたキャビネットの取り付け構造は、コンクリート打設前に露出している配筋に引っ掛け可能である取り付け金具をキャビネット背面に固定している。取り付け金具は、配筋にキャビネットを支持させる支持片と、配筋にキャビネットを固定させる固定部とを形成する、ことを特徴としている。このキャビネットの取り付け構造によれば、簡単な構造で取付作業が容易であるキャビネットの取り付け構造を提供できる。
【０００８】
更に、従来の電子機器取付装置の第４の例として、例えば、特許文献２に記載されているようなものもある。特許文献２には、電子機器等のシャーシに電子部品やケーブル等を実装するために用いる固定具に関し、特に、シャーシの表面側からの取り外しを容易に行うことが可能な固定具が記載されている（以下「第４の従来例」という。）。この特許文献２に記載された固定具は、保持部と嵌合部とを備え、嵌合部は、シャーシの表面に当接可能な平坦な底面を有するベースと、挟持片と、係止体とを備えている。挟持片は、ベースの底面に突出されてシャーシに設けられた穴の内縁部に一方向から嵌合してその内縁部を挟持する。係止体は、ベースの底面に突出されてシャーシに設けられた穴の内縁部に係合し、ベースの反対方向への移動を係止する、ことを特徴としている。この固定具によれば、シャーシに装着した固定具をシャーシの表面側から取り外すことができる。
【先行技術文献】
【特許文献】
【０００９】
【特許文献１】特開２００９−１７１７６５号公報
【特許文献２】特開２００４−２３９３２５号公報
【００１０】
しかしながら、第１の従来例の場合には、スタンド本体に設けた球面軸受上にディスプレイ装置を搭載して下方から支持する構成となっているため、クランプバーの上面からディスプレイ装置の下面までが高くなる。その結果、ディスプレイ装置の設置高さを低くするのに限界があり、表示面が目線から上方にズレてしまう。また、第２の従来例の場合には、高さ調整部でディスプレイ装置の背面を支持する構成となっているため、ディスプレイ装置の表示面が前方に大きく突出されることになる。その結果、卓の上面である作業面上にディスプレイ装置が配置されることから、卓上の作業面がディスプレイ装置によって低減され、作業スペースが減少してしまうという問題があった。
【００１１】
また、第３の従来例の場合、取付対象物が各種機器を収納するキャビネットである点で共通する部分も存在する。しかしながら、第３の従来例がコンクリート造りの壁面に埋め込んで使用されるのに対し、本願発明は所定位置に簡単、確実に取り付け・取り外しできる電子機器取付装置等に関する点で両者は大きく異なるものである。また、第４の従来例の場合には、シャーシに装着して使用される固定具である点で共通する部分も存在する。しかしながら、第４の従来例がシャーシに対してフラットケーブルを保持させる保持具であるのに対し、本願発明は所定位置に簡単、確実に取り付け・取り外しできる電子機器取付装置等に関するものである点で両者は異なるものである。
【発明の概要】
【発明が解決しようとする課題】
【００１２】
解決しようとする問題点は、従来の電子機器取付装置では、電子機器を支持するスタンドを締付ねじでクランプバーにねじ止めする構成となっていたため、取り付け・取り外し時に手間がかかり、着脱操作を簡単且つ迅速に行うことができないという問題があった。即ち、第１の従来例の場合には、電子機器を球面軸受式スタンドによってクランプバーに取り付けると、電子機器がクランプバーから上方に大きく突出してしまい、目線が上方に外れて画像表示面が見難くなるという問題があった。また、第２の従来例の場合には、電子機器を高さ調整式スタンドによってクランプバーに取り付けると、卓上の作業面上に電子機器が配置されることから、卓上の作業面が狭くなり、作業スペースが減少してしまうという問題があった。
【００１３】
第３の従来例の場合は、キャビネットをコンクリート造りの壁面に埋め込んで取り付けるものであるため、本願発明とは、その目的のみならず、構成・効果の点からも異なるものであって、別発明ということができる。更に、第４の従来例の場合は、電子機器における組立構造に関するものとして共通するが、電子機器のシャーシに電子部品やケーブル等を実装するために用いるもので、本願発明とは目的を異にしており、その構成も異なるもので、別発明ということができる。
【課題を解決するための手段】
【００１４】
本発明の電子機器取付装置は、電子機器本体と、その電子機器本体に対称に配置されて取り付けられる一対の取付ブラケットと、を備えて構成される。一対の取付ブラケットには、一対の取付ブラケットを介して電子機器本体を吊り下げ支持する第１の支持部が挿脱可能に係合されるクランク状に延在された係合溝を設ける。更に、一対の取付ブラケットには、一対の取付ブラケットを介して電子機器本体を下方から支える第２の支持部が当接されるベース部を設ける。第１の支持部は、第１の方向の寸法よりもこれに直交する第２の方向の寸法を大きくした断面形状を有し、係合溝の底に、第１の支持部を９０度回転させることができる回転領域を設ける。
【００１５】
また、本発明の電子機器用取付ブラケットは、電子機器本体に対称に配置されて取り付けられる構造が同一であって、形状が対称をなす一対の取付ブラケットからなる。一対の取付ブラケットには、一対の取付ブラケットを介して電子機器本体を吊り下げ支持する第１の支持部が挿脱可能に係合されるクランク状に延在された係合溝を設ける。更に、一対の取付ブラケットには、一対の取付ブラケットを介して電子機器本体を下方から支える第２の支持部が当接されるベース部を設ける。第１の支持部は、第１の方向の寸法よりもこれに直交する第２の方向の寸法を大きくした断面形状を有し、係合溝の底に、第１の支持部を９０度回転させることができる回転領域を設ける。
【発明の効果】
【００１６】
本発明の電子機器取付装置によれば、ねじを用いることなく、取付ブラケットの係合溝とベース部により、第１の支持部及び第２の支持部を用いて、所定位置に対する電子機器の取り付け・取り外しをワンタッチ操作で簡単に行うことができる。更に、ベース部にズレ防止凹部を設けることにより、電子機器取付装置の揺れを防止し、所定位置に簡単且つ確実に固定することができる。
【図面の簡単な説明】
【００１７】
【図１】本発明の電子機器取付装置の実施の形態の一例を示す斜視図である。
【図２】本発明の電子機器取付装置に係る取付ブラケットの実施の形態の一例を示す正面図である。
【図３】本発明の電子機器取付装置が着脱可能に取り付けられる第１の支持部と第２の支持部を備えた卓の一例を示す斜視図である。
【図４】本発明の電子機器取付装置に係る第１の支持部の断面形状の例を示すもので、図４Ａは楕円形とした実施の例、図４Ｂは円形の一部を切り欠いた実施の例、をそれぞれ示す説明図である。
【図５】本発明の電子機器取付装置の取り付け作業を説明する説明図である。
【図６】本発明の第１の支持部と第２の支持部を備えた卓に４個の電子機器取付装置を取り付けた状態を示す正面図である。
【図７】従来の電子機器取付装置の第１の例を示す説明図である。
【図８】従来の電子機器取付装置の第２の例を示す説明図である。
【発明を実施するための形態】
【００１８】
電子機器本体に一対の取付ブラケットを対称に配置して取り付け、一対の取付ブラケットに設けた係合溝に第１の支持部を差し込み、その底に設けた回転領域で９０度回転させる。これにより、電子機器取付装置が第１の支持部に吊り下げられて取り付けられ、電子機器取付装置をねじ止めすることなく、所定位置に対する電子機器取付装置の取り付け・取り外し作業を、ワンタッチ操作によって簡単且つ確実に行うことができる。
【実施例】
【００１９】
図１のように、本発明の電子機器取付装置１は、電子機器本体２と、その電子機器本体２に対称に配置されて取り付けられる一対の取付ブラケット（電子機器用取付ブラケット）３，４とを備えて構成されている。この電子機器取付装置１は、第１の支持部の一具体例を示す上側バー５に係合溝を嵌め込むように取り付けることにより、ワンタッチ操作で簡単且つ確実に取り付け・取り外しすることができる。更に、電子機器取付装置１によれば、第２の支持部の一具体例を示す下側バー６によってズレを防止し、安定的に確実に支持することができる。
【００２０】
電子機器本体２としては、液晶ディスプレイや有機ＥＬディスプレイその他のモニタ装置を挙げることができる。しかしながら、本願発明の電子機器本体２は、モニタ装置に限定されるものではなく、例えば、テレビジョン装置、スピーカ装置、アンプ、チューナ、その他各種の電子機器を適用することができる。この電子機器本体２の外形は、厚み（奥行き）方向の比較的薄い偏平な立方体であることが好ましいが、これに限定されるものではない。例えば、円形、楕円形その他の偏平な立体形状であってもよく、また、偏平でない、立方体、球形、その他各種形状のものを用いることができることは勿論である。
【００２１】
一対の取付ブラケット３，４は、大きさが同一であって、左右対称の形状をなしている。図１及び図２に示すように、取付ブラケット３，４は、電子機器本体２の側面よりも十分に大きな平面形状を有する板材によって長方形に形成されている。取付ブラケット３，４の長手方向の中途部には、板厚方向に折り曲げられた段部７が設けられている。段部７は、隣接した２箇所を、互いに逆方向へ９０度折り曲げることによってクランク状に形成されている。段部７の段差は、取付ブラケット３，４の板厚よりも少し大きく形成し、その段差内に、他の取付ブラケット３，４が入り込むことができるようにする。
【００２２】
取付ブラケット３，４には、固定部８と、ベース部９と、係合溝１０と、が設けられている。固定部８は、取付ブラケット３，４の幅方向の一側において、長手方向の中途部に設定されており、取付ブラケット３，４をねじ止めするための挿通孔１２が２箇所に設けられている。ベース部９は、取付ブラケット３，４の長手方向の一側であって、段部７に近い側に設定されている。このベース部９の外縁には、下側バー６の上面が当接される。ベース部９の外縁には、その縁の中途部に設定された角溝状の切欠きからなるズレ防止凹部１３が設けられている。ズレ防止凹部１３は、下側バー６と対応する位置に配置されており、取付ブラケット３，４の装着完了時、下側バー６が嵌合されて位置決めされるようになっている。
【００２３】
係合溝１０は、上側バー５が挿脱可能に嵌め込まれ、その上側バー５によって吊り下げられるように取付ブラケット３，４に設けたものである。この係合溝１０は、取付ブラケット３，４の長手方向に沿ってクランク状に延在された長溝からなっている。即ち、係合溝１０は、固定部８と反対側の辺に開口された出入口１０ａと、この出入口１０ａの奥に連続された幅狭部１０ｂと、この幅狭部１０ｂの奥に設けた回転領域１０ｃとからなっている。係合溝１０の出入口１０ａは、取付ブラケット３，４の幅方向に延在されていて、開口部の広さＱは、上側バー５の、寸法の大きい長手方向の長さＸよりも少し大きく設定されている。出入口１０ａの深さＲは、上側バー５の寸法の小さい幅方向の長さの２倍程度に設定されている。
【００２４】
係合溝１０の幅狭部１０ｂは、出入口１０ａの奥に連続されていて、その奥から長手方向の一側に延在されている。そして、幅狭部１０ｂの奥に回転領域１０ｃが連続されている。幅狭部１０ｂの幅Ｓは、上側バー５の寸法の小さい幅方向の長さＹより少し大きいが、長手方向の長さＸよりは小さく設定されている。従って、幅狭部１０ｂに対して上側バー５は、幅方向の長さＹ側から通すことはできるが、これと直交する長手方向の長さＸ側からは通すことができないようになっている。幅狭部１０ｂの長さＴは、出入口１０ａから回転領域１０ｃまでの間の領域である。
【００２５】
係合溝１０の回転領域１０ｃは、上側バー５を９０度回転させることができる大きさを有する。この実施例の回転領域１０ｃは、幅方向の寸法を幅Ｕとし且つ長手方向の寸法を深さＶとして正方形に形成されており、幅Ｕ及び深さＶは共に上側バー５の長手方向の長さＸよりも少し大きく設定されている。このような形状を有する係合溝１０とズレ防止凹部１３等を設けた取付ブラケット３，４を、固定ねじ１５で電子機器本体２にねじ止めして取り付けることにより、電子機器取付装置１が構成される。
【００２６】
この電子機器取付装置１が着脱自在に装着される上側バー５及び下側バー６は、例えば、図３に示すような構造として実現することができる。
【００２７】
図３は、３本のバー２１，２２，２３を有する門形フレーム２０を机２５の背面に取り付けた状態を示すものである。机２５は、適当な広さの作業面を有する作業面部２６と、この作業面部２６を支える脚部２７を有しており、作業面部２６の背面に門形フレーム２０が取り付けられている。即ち、作業面部２６の背面に、門形フレーム２０を支持するための４個の支持ピン２８が所定位置に配置されて設けられている。支持ピン２８の先端には、抜け出しを防止するためのフランジ状の頭部が設けられている。
【００２８】
門形フレーム２０は、水平方向に所定間隔離して対向された２本の支持柱３０，３０を有している。この２本の支持柱３０，３０の間に、３本のバー２１，２２，２３が上下方向に所定の間隔をあけて配置されている。２本の支持柱３０、３０の下端部には、４個の支持ピン２８に係合させて門形フレーム２０を机２５の背面に取り付けるための櫛歯状に形成された櫛状取付部３１がそれぞれ一体に設けられている。櫛状取付部３１には、上下方向に所定間隔あけて複数の歯形溝３２が設けられている。
【００２９】
この実施例では、櫛状取付部３１には５つの歯形溝３２が設けられており、これにより、門形フレーム２０の取付位置が３段階に高さ調整可能に構成されている。更に、櫛状取付部３１の５つの歯形溝３２は、それぞれ斜め下向きに開口するように形成されており、これにより、門形フレーム２０の自重によって歯形溝３２が自動的に支持ピン２８に係合されるように構成している。
【００３０】
門形フレーム２０の３本のバー２１，２２，２３は、互いに平行をなして水平方向に延在されている。３本のバー２１，２２，２３は、上方に位置するものが上側バー５であって、その上側バー５の下方に位置するものが下側バー６である。従って、最上段に位置するバー２１は常に上側バー５であり、最下段の３段目に位置するバー２３は常に下側バー６である。これに対して、２段目に位置するバー２２は、その上方に位置するバー２１に対しては下側バー６となるが、その下方に位置するバー２３に対しては上側バー５となる。
【００３１】
３本のバー２１，２２，２３の断面形状は、この実施例では、第１の方向とした上下方向の長さＹよりも第２の方向とした左右方向の長さＸを長くした長方形に設定している。しかしながら、３本のバー２１，２２，２３の断面形状は、これに限定されるものではなく、例えば、図４Ａに示す楕円形としてもよく、また、図４Ｂに示すように、直径Ｄの円形の一部を切除した円弧形としてもよい。更に、バーの断面形状は、これら図面に示した実施の形態に限定されるものではなく、第１の方向の寸法よりもこれに直交する第２の方向の寸法が大となる形状であれば適用可能である。なお、上記バーの断面形状は、少なくとも上側バーが備えていればよいもので、下側バーは、取付ブラケット３，４を下方から支えることができる形状であれば、その断面形状に制約は無い。
【００３２】
なお、門形フレーム２０の取付位置を変えて３本のバー２１，２２，２３の高さを調整することにより、これに取り付けられる電子機器本体２の高さを変えて目線の位置を変えることができる。この場合、門形フレーム２０は、櫛状取付部３１の歯形溝３２を机２５に設けた支持ピン２８に係合することによって支持固定され、固定ねじを用いていないため、高さ調整作業を簡単且つ迅速に行うことができる。
【００３３】
取付ブラケット３，４の材質としては、例えば、ステンレス鋼板やスチール鋼板その他の金属材料が好適である。しかしながら、これら金属材料に限定されるものではなく、例えば、ＡＢＳ（アクリロニトリル・ブタジエン・スチレン樹脂）やＰＯＭ（ポリアセタール）等のエンジニアリングプラスチックを用いることもできる。
【００３４】
次に、上述した構成を有する電子機器取付装置１のバー５，６に対する取り付け・取り外し作業について説明する。
２枚の取付ブラケット３，４は、予め電子機器本体２に固定ねじ１５によってねじ止めし、電子機器取付装置１を構成しておくようにする。電子機器本体２に対する２枚の取付ブラケット３，４の取付手段は、固定ねじ１５による場合に限定されるものではなく、接着剤によって接合してもよく、また、電子機器本体２のケーシングと一体に成形する構成としてもよい。
【００３５】
まず、図５Ａに示すように、係合溝１０の出入口１０ａを下にして、上側バー５の上方に電子機器取付装置１を臨ませ、この電子機器取付装置１を下げて出入口１０ａに、上側バー５を寸法の長い長さＸ側から挿入する。このとき、下側バー６は、上側バー５から離れた下方にあって、何らの影響も与えられていない。次に、図５Ｂに示すように、電子機器取付装置１を手前に移動し、上側バー５を、係合溝１０の幅狭部１０ｂに通過させて回転領域１０ｃまで移動させる。このとき、幅狭部１０ｂの幅Ｓは、上側バー５の寸法の短い長さＹ側よりも大きいため、上側バー５の移動が可能である。
【００３６】
次に、図５Ｃ及び図５Ｄに示すように、電子機器取付装置１を前側に９０度回転し、回転領域１０ｃ内において上側バー５を、相対的に９０度回転変位させる。このとき、回転領域１０ｃの幅Ｕ及び深さＶは、上側バー５の寸法の長い長さＸよりも共に少し大きく設定されているため、上側バー５の相対的な回転動作を許容することができる。その後、図５Ｅに示すように、電子機器取付装置１を上側バー５に吊り下げる。このとき、電子機器取付装置１の自重により、係合溝１０の回転領域１０ｃの底辺が上側バー５の上面に当接されると共に、取付ブラケット３，４の下端に設けたズレ防止凹部１３が下側バー６に係合される。
【００３７】
これにより、電子機器取付装置１が、その正面を水平方向前方へ向けた状態で、机２５の上の所定の高さ位置に取り付けられる。下側バー６は、電子機器取付装置１を下方から支えるだけでもよい。しかしながら、この実施例のように、ベース部９にズレ防止凹部１３を設けて下側バー６に係合させることにより、電子機器取付装置１の前後方向へのズレを防止して、所定位置に確実に固定することができる。
【００３８】
このようにして取り付けられた電子機器取付装置１の取り外し作業は、前述した取り付け作業とは逆の動作を行うことによって実行される。即ち、図５Ｅに示す状態から、電子機器取付装置１を上方に持ち上げて図５Ｄに示す状態にする。このとき、係合溝１０の幅狭部１０ｂの幅Ｓは、上側バー５の寸法の長い長さＸよりも小さいため、回転領域１０ｃの入口側で上側バー５の移動が停止され、電子機器取付装置１が必要以上に持ち上げられることがない。
【００３９】
次に、電子機器取付装置１の手前側を持ち上げて、電子機器取付装置１を、図５において反時計方向に９０度回転させる。これにより、電子機器取付装置１の姿勢が、図５Ｄに示す状態から図５Ｃに示す状態を経て図５Ｂに示す状態に変化する。そこで、電子機器取付装置１を背面側に水平に移動し、上側バー５を係合溝１０の幅狭部１０ｂに通過させる。その結果、図５Ｂに示す状態から図５Ａに示す状態に変化し、その後、上側バー５を係合溝１０の出入口１０ａから引き抜くように電子機器取付装置１を上方へ移動させる。これにより、電子機器取付装置１を、所定の取付位置から簡単且つ迅速に取り外すことができる。
【００４０】
図６は、３本のバー２１〜２３を有する門形フレーム２０に対して、４個のモニタ装置（電子機器本体）２を上下２段で２列に配置して取り付けた状態を示すものである。この状態において、２枚の取付ブラケット３，４に設けた段部７が、その機能を有効に果たしている。即ち、上下に取り付けた２台の電子機器取付装置１，１のうち、下側に取り付けた電子機器取付装置１の２枚の取付ブラケット３，４は、そのまま上方へ真直ぐに延在される。そのため、取付ブラケット３，４に段部７がないと、下側の取付ブラケット３，４が上側に取付ブラケット３，４に干渉してしまい、２台の電子機器取付装置１，１の間隔を狭めて取り付けることができなくなる。
【００４１】
これに対して、本実施例においては、取付ブラケット３，４の下部に段部７を設け、この段部７の空間内に他の取付ブラケット３，４の上部を収容するようにした。そのため、上下の電子機器取付装置１，１を、上下方向に揃えて配置することができると共に、隣り合う電子機器取付装置１，１の間隔を可及的に狭めて配置することが可能となった。その結果、電子機器取付装置１を複数段で複数列に配置する場合において、多数の電子機器取付装置１を縦横いずれの方向にも揃えて配置できると共に、隣り合う電子機器取付装置１，１間の隙間を可及的に狭くし、画面全体の見栄えを良くすることができる。
【００４２】
以上説明したが、本発明は前記実施例に限定されるものではなく、本発明の要旨を逸脱しない範囲で各種の変形実施が可能である。例えば、前記実施例では、第１の支持部及び第２の支持部の実施例としてバー２１〜２３を用いた例について説明したが、これらの支持部は、取手或いはハンドルのような構造のものであってもよい。更に、バーの数は３本に限られるものではなく、２本であってもよく、また、４本以上であってもよい。
【符号の説明】
【００４３】
１…電子機器取付装置、  ２…電子機器本体（モニタ装置）、  ３，４…取付ブラケット（電子機器用取付ブラケット）、  ５…上側バー（第１の支持部）、  ６…下側バー（第２の支持部）、  ７…段部、  ８…固定部、  ９…ベース部、  １０…係合溝、  １０ａ…出入口、  １０ｂ…幅狭部、  １０ｃ…回転領域、  １３…ズレ防止凹部、  ２０…門形フレーム、  ２１，２２，２３…バー、  ２５…机、  ２９…支持柱、  ３１…櫛状取付部、  ３２…歯形溝
【図１】
2011149453.tif 000003
【図２】
2011149453.tif 000004
【図３】
2011149453.tif 000005
【図４】
2011149453.tif 000006
【図５】
2011149453.tif 000007
【図６】
2011149453.tif 000008
【図７】
2011149453.tif 000009
【図８】
2011149453.tif 000010